(57)【要約】靴のための中底（１０２）が提供される。この中底（１０２）は、中底が、靴内の適所にあるときに、情報を表示するために、好ましくは、挿入物の上に配置されたディスプレイ表面（１１６）を有する。その外側表面に受信機が配置されている靴（１０）（例えば、運動靴）がまた提供される。この受信機は、靴が着用されるときに眼に見え、情報を表示するために適合されている、ディスプレイ表面を有する挿入物を保持する。ディスプレイ表面は、ブランドもしくは他のデザインを有し得るか、および／または、適切な発生デバイスによって、光もしくは音を発し得る。靴のための付属品は、靴に固定するためのマウントを備え、このマウントは、靴が着用されたときに見えるように適合されたディスプレイ表面を有する。このマウントは、好ましくは、上述の種類の挿入物を保持する。
2007503900.tif 000002
【特許請求の範囲】
【請求項１】
靴のための中底であって、該中底は、該靴内を延びるための中底部分、および中底延長部を備え、該延長部は、情報を表示するように適合されたディスプレイ表面を備え、該延長部は、該靴が着用されたときに、該表面が該靴の外部から見えるように、該靴の内部内から延びるように適合されている、中底。
【請求項２】
前記中底延長部が、前記靴の上側部分の外部に近接して位置する第１の部分を備え、前記ディスプレイ表面が、該第１の部分に関して複数の位置のうちの１つで位置決め可能である、請求項１に記載の中底。
【請求項３】
前記中底延長部が、第２の部分を備え、前記第１の部分が、前記中底部分と該第２の部分との間に配置され、前記ディスプレイ表面が、該第２の部分の上に配置される、請求項２に記載の中底。
【請求項４】
前記第１の部分および第２の部分が、対応する第１の側部および第２の側部を有し、前記ディスプレイ表面が、該第２の部分の該第２の側部の上に配置され、前記中底が、該第２の部分の該第２の側部を、該第１の部分の該第１の側部に、取り外し可能に締付けるための手段を包含する、請求項３に記載の中底。
【請求項５】
前記取り外し可能な締付け手段が、フックアンドループ留め具である、請求項４に記載の中底。
【請求項６】
前記中底延長部が、前記中底部分のかかと部分から延びる、請求項１〜５のいずれか１項に記載の中底。
【請求項７】
前記ディスプレイ表面が、前記中底が前記靴の中で適所にあるときに、該靴の前記かかとに配置される、請求項６に記載の中底。
【請求項８】
前記ディスプレイ表面が、ブランドを保有するように適合される、請求項１〜７のいずれか１項に記載の中底。
【請求項９】
前記中底延長部が、光および音を発するためのエミッターを備える、請求項１〜８のいずれか１項に記載の中底。
【請求項１０】
前記中底が、前記エミッターのためのエネルギー源を備える、請求項９に記載の中底。
【請求項１１】
前記エネルギー源が、前記中底延長部内に位置するバッテリーである、請求項１０に記載の中底。
【請求項１２】
前記エネルギー源が、前記靴が着用されたときに、該靴の着用者の足により、圧力で起動される、請求項１０または１１に記載の中底。
【請求項１３】
前記中底が、圧力起動式スイッチを備える、請求項１２に記載の中底。
【請求項１４】
前記中底が、使用の際に使用者のかかとに近接する前記中底部分の一部に、圧力起動式スイッチを備える、請求項１３に記載の中底。
【請求項１５】
前記中底が、使用の際に使用者の足の親指の付け根のふくらみまたはつま先に近接する前記中底部分の一部に、圧力起動式スイッチを備える、請求項１３に記載の中底。
【請求項１６】
前記中底が、該中底内に配置された、複数の圧力起動式スイッチを備え、それによって、圧力が、使用の際に使用者により実施される行為に従ってそれぞれのスイッチを圧迫するようになる、請求項１３〜１５のいずれか１項に記載の中底。
【請求項１７】
前記中底が、使用の際に、使用者のかかとに近接する前記中底部分の一部に第１の圧力起動式スイッチ、および、使用の際に、使用者の足の親指の付け根のふくらみまたはつま先に近接する該中底部分に第２の圧力起動式スイッチを備え、歩行時またはランニング時の使用者の前記行為が、該第１の圧力起動式スイッチおよび第２の圧力起動式スイッチの連続的な起動を生じる、請求項１６に記載の中底。
【請求項１８】
前記ディスプレイ表面に表示を生成するための、発光デバイスのアレイをさらに備える、請求項１〜１７のいずれか１項に記載の中底。
【請求項１９】
前記アレイが、前記ディスプレイ表面に近接して位置する、請求項１８に記載の中底。
【請求項２０】
前記アレイが、複数の発光ダイオードを備える、請求項１８または１９に記載の中底。
【請求項２１】
前記ディスプレイ表面に生成される前記表示を制御するためのコントローラをさらに備える、請求項１〜２０のいずれか１項に記載の中底。
【請求項２２】
前記コントローラが、遠隔的にプログラム可能である、請求項２１に記載の中底。
【請求項２３】
遠隔プログラミングデバイスに前記コントローラを接続するために、コネクタをさらに備える、請求項２２に記載の中底。
【請求項２４】
前記中底延長部が、ハウジングおよび挿入物を備え、前記ディスプレイ表面が、該挿入物の上に位置する、請求項１〜２３のいずれか１項に記載の中底。
【請求項２５】
前記挿入物が、取り外し可能である、請求項２４に記載の中底。
【請求項２６】
請求項１〜２５のいずれかに規定される中底を備える、靴。
【請求項２７】
前記靴の外側表面上に配置される受信機、および該受信機内に配置される挿入物を備える靴であって、該挿入物は、該受信機内に配置される場合にディスプレイ表面を有し、該ディスプレイ表面は、該靴が着用されたときに、情報の表示が眼に見えるように適合される、靴。
【請求項２８】
前記受信機が、前記靴の上側部分の上に配置される、請求項２７に記載の靴。
【請求項２９】
前記靴が、着用者の足を受容するための開口部を供え、前記受信機が、該靴の開口部に近接して配置される、請求項２８に記載の靴。
【請求項３０】
前記受信機が、前記靴のかかとに配置される、請求項２９に記載の靴。
【請求項３１】
前記挿入物が取り外し可能である、請求項２７〜３０のいずれか１項に記載の靴。
【請求項３２】
前記ディスプレイ表面が、ブランドを表示するように適合される、請求項２７〜３１のいずれか１項に記載の靴。
【請求項３３】
前記挿入物が、光または音を発するためのエミッターを備える、請求項２７〜３２のいずれか１項に記載の靴。
【請求項３４】
前記靴が、前記エミッターに電力を供給するためのエネルギー源を備える、請求項３３に記載の靴。
【請求項３５】
前記エネルギー源が、前記挿入物内にある、請求項３４に記載の靴。
【請求項３６】
前記靴が、前記エミッターに電力を供給するための圧力起動式発電機を備え、該発電機は、着用される該靴の行為によって起動される、請求項３４に記載の靴。
【請求項３７】
前記受信機が、前記靴の取り外し可能な構成要素に取り付けられる、請求項２７〜３６のいずれか１項に記載の靴。
【請求項３８】
前記靴の取り外し可能な構成要素が、中底である、請求項３７に記載の靴。
【請求項３９】
靴のための付属品であって、該付属品は、靴に固定するためのマウントを備え、該マウントは、該靴が着用されたときに、情報の表示が眼に見えるように適合されたディスプレイ表面を備える、付属品。
【請求項４０】
前記マウントが、前記靴の上側部分に前記付属品を固定するように適合される、請求項３９に記載の付属品。
【請求項４１】
前記マウントが、クラスプを備える、請求項４０に記載の付属品。
【請求項４２】
前記クラスプが、前記靴の開口部に対して前記マウントを固定するように適合される、請求項４１に記載の付属品。
【請求項４３】
前記マウントが、前記靴の上側部分のかかと部分に、前記付属品を固定するためのものである、請求項３９〜４２のいずれか１項に記載の付属品。
【請求項４４】
前記ディスプレイ表面が、ブランドを表示するように適合される、請求項３９〜４３のいずれか１項に記載の付属品。
【請求項４５】
前記マウントが、音または光を発するためのエミッターを備える、請求項３９〜４４のいずれか１項に記載の付属品。
【請求項４６】
前記マウントが、前記エミッターのためのエネルギー源を備える、請求項４５に記載の付属品。
【請求項４７】
前記靴内に延びるための部分を備える、請求項３９〜４６のいずれか１項に記載の付属品。
【請求項４８】
前記靴内に延びる部分が、中底、または部分的な中底である、請求項４７に記載の付属品。
【請求項４９】
前記マウントが、ハウジングを備え、前記ディスプレイ表面が、該ハウジング内に保持される挿入物の上に配置される、請求項３９〜４８のいずれか１項に記載の付属品。
【請求項５０】
前記挿入物が、前記ハウジングから取り外し可能である、請求項４９に記載の付属品。
【請求項５１】
前記挿入物が、光または音を発するためのエミッター、および該エミッターに電力を供給するための電力源を収容する、請求項４９または５０に記載の付属品。
【請求項５２】
請求項２２または２３に規定される中底、およびコントローラをプログラムするための、遠隔プログラミングデバイス上に搭載するためのコンピュータプログラムを格納した、格納デバイスを備える、キット。
【請求項５３】
遠隔プログラミングデバイスに前記コントローラを接続するためのケーブルをさらに備える、請求項５２に記載のキット。
【発明の詳細な説明】
【技術分野】
【０００１】
本発明は、靴および靴のための付属品に関し、特に、靴の外部への取り付けのための付属品、および靴と共に使用するための中底に関する。
【背景技術】
【０００２】
本明細書において、「靴（単数または複数）」に対する参照は、単一型の履物に限定されるように解釈されるべきではなく、全ての形態の履物を包含するように解釈されるべきであり、履物の形態としては、靴、トレーニングシューズ、運動靴（例えば、ランニングシューズおよびサッカーシューズ）、サンダル、ブーツ、ゴム底ズック、スリッパなどが挙げられるがこれらに限定されない。履物の他の製品がまた、この用語に包含され、他の製品としては、ローラースケート、アイススケート、スキーおよびスノーボードブーツ、他のスポーツ用履物などが挙げられる。これらの用語「靴（単数または複数）」は、他に特定されない限り、この一般的な製品の群を指すために、本明細書中で使用される。
【０００３】
パターンおよびマーキングを有する靴の外部を装飾することは、確立された手法である。パターンまたはマーキングの非常に一般的な形態は、ブランドのついたパターンもしくはデザイン、または１つ以上のトレードマークによる靴の外部表面のブランドである。このようなブランドは、靴の外部から見える１つ以上の色またはデザインを有する靴の材料または布の構造に組込むことによって実施され得る。あるいは、例えば、デザイン、ブランド、トレードマークまたはロゴを縫うか、またはデザイン、ブランド、トレードマークまたはロゴ有する布の継ぎを接着することによって、靴の外部に添付することが知られる。
【０００４】
靴の消費者または購入者の観点から、今までは、一旦特定の靴の購入がなされると、新しい所有者が、その特定のデザインの靴に限定される。今日まで、靴の外観および全体的なデザインを変更する、機会は、一旦購入されると、靴の購入者にほとんど与えられていなかった。多くの靴の高い購入価格を考えると、このことは、これらの製品の購入者および着用者にとっては、かなりの不利益であるようであり得る。
【０００５】
パターンおよびデザインを靴に提供する上述の方法に加え、特にトレーニングシューズにおいて、特定の発光手段により靴の特定のデザインを提供することもまた公知である。一般に、このような発光手段は、靴の底に位置し、より具体的には、底のかかと部分、またはその近くに位置する。１つの公知の構造において、靴の底には、圧力起動式のエネルギー源（例えば、ピエゾ電気ユニット）が備え付けられ、これが、発光ダイオードなどによって光を発するための十分な電力を生成する。この配置は、トレーニングシューズのプラスチック底の中に入れられ、そして、着用者が歩行またはランニングするときに、着用者の足の動きによって起動される。この靴の底には、着用者によって着用されるときに、靴の外部から光が眼に見えるように、十分に透明な材料から構成される少なくとも一部が備えられる。このような発光靴のデザインは、人気があることが分かった一方で、ここでも、購入者または着用者が、その靴の発光特性を修飾または変更する可能性は存在しない。
【０００６】
特許文献１は、光ファイバー照射表示領域、およびこの領域のためのコントロールモジュールを備える靴のような履物の製品を開示する。この靴は、靴の底に位置する発光デバイスから延びる光ファイバーから発せられる光によって照射する、靴の一部の上に、ディスプレイパネルを供える。コントロールモジュールは、靴の底、特に、かかとに位置し、そして、コントロール構成要素、電源（例えば、バッテリー）、およびスイッチ（例えば、圧力スイッチまたは動きセンサ）と共に、発光デバイスを備える。
【０００７】
特許文献１のデバイスは、靴の上側部分の上に表示を生成する手段を提供する。しかし、この配置は、靴の一体となった部分であり、そして、表示の単一デザインを有する靴の購入者にしたままである。さらに、コントロールデバイスが機能障害になるか、またはバッテリーが消耗すれば、靴のディスプレイ要素は、動作不能になる。このことは、靴が擦り減り、交換を必要とすることの十分前であり得る。
【０００８】
従って、靴を独自のものにし、ディスプレイを有する靴を付属品をつけるための多目的システムを提供するための、改善された手段に対する必要性が存在する。特に、このようなシステムが、既存の靴と共に使用され得、ディスプレイ特徴を有する完全に新しい靴を購入する必要を取り除くことは、かなり有利である。
【特許文献１】米国特許第５，８１３，１４８号明細書
【発明の開示】
【課題を解決するための手段】
【０００９】
本発明は、一般的な局面において、靴が着用されるときに本発明の表示が見えるように、靴の外部表面に情報を表示するための手段を提供し、この表示手段は、眼に見える表面を備え、そして／または光もしくは音を発するためのエミッターを備え、ここで、この表示手段は、表示される情報が、変化または変更され得るようなものである。
【００１０】
第１の局面において、本発明は、靴のための中底を提供し、この中底は、靴の中を延びる中底部分、および中底延長部を備え、この延長部は、情報を表示するように適合された表面を備え、この延長部は、靴が着用されたときに、この表面が靴の外部から見えるように、内部から延びるように適合される。
【００１１】
中底は、色、デザインおよび大きさのある範囲内で提供され得、従って、既存の靴が、靴の布および構造に対する最小限の変更によって、使用者によりカスタマイズされることを可能にする。このことは、種々の方法において、そして、単純かつ安価な方法で、同じ靴が種々のデザインでカスタマイズされることを可能にする。
【００１２】
汎用性の程度がより高い中底を提供するために、靴の上側部分の外部に近接して位置する第１の部分を有する中底を提供することが好ましく、ディスプレイ表面は、この第１の位置に関して複数の位置のうちの１つに位置決め可能である。好ましくは、中底延長部は、第２の部分を備え、第１の部分が、中底部分とこの第２の部分との間に配置され、ディスプレイ表面が、この第２の位置に配置される。好ましい実施形態において、第１の部分および第２の部分は、対応する第１の側部および第２の側部を有し、ディスプレイ表面は、第２の部分の第２の側部の上に配置され、中底は、第２の部分の第２の側部を第１の部分の第１の側部に対して、取り外し可能に締付けるための手段を備える。最も適切な締付け手段は、フックアンドループ留め具である。しかし、他の締付けデバイス（例えば、取り外し可能なスタッド、ボタン、クリップなど）がまた使用され得る。このように、所定の靴の大きさに対応する単一の中底は、広範なデザインの靴の上側部分にフィットするように適合され得、その結果、ディスプレイ表面は、各靴のデザインにおいて、見えるようになり得る。このように、単一の中底製品は、種々の異なる靴を有する使用者に利用可能となり得る。さらに、個々の使用者が、１足以上の靴を有する場合が一般的である。これらは、使用者にフィットするために同じ大きさであるが、靴のデザイン、特に、靴の上側部分は、大幅に変化し得る。中底の好ましい実施形態の例として、使用者は、１つ以上の靴において同じ中底を使用し得、中底が使用されるべき靴の上側部分の形状および大きさによって、ディスプレイ表面の位置を単純に適合し得る。
【００１３】
好ましくは、中底延長部は、中底の中底部分のかかと部分から延びる。このように、中底延長部は、靴（例えば、トレーニングシューズ）の開口部から突出し、着用したときに、靴の外部から見えるように配置され得る。好ましくは、中底延長部は、かかとにおいて靴の開口部から突出するように、中底部分から延びる。
【００１４】
中底延長部は、靴から突出することによって、靴の視覚的な外観、特に、靴の上側部分を変更または修飾するのに有効である。従って、本明細書において上述したように、中底延長部は、任意の所望の形状のパターンまたはオーナメントを備えられ得る。１つの好ましい実施形態において、中底延長部の表面は、ブランドを有するように適合される。上記したように、靴の外側表面に１つ以上のブランドを備えることは、一般的な慣習である。従って、ディスプレイ表面は、好ましくは、ブランドを表示するように適合される。この点に関して、用語「ブランド」は、特定のブランド、トレードマーク、忠誠のバッジ（ｂａｄｇｅｓ  ｏｆ  ａｌｌｅｇｉａｎｃｅ）、名前（スポーツクラブ、音楽グループなどの名前）、エンブレム、ロゴ、スローガン、風刺、マンガなどに対する一般的な参照とみなされるべきである。
【００１５】
あるいは、またはブランドに加えて、中底延長部は、光および／または音を発するためのエミッターを備え得る。このような場合、中底に、エミッターのためのエネルギー源を備えることが好ましい。このエネルギー源は、上述のピエゾ電気デバイスのような圧力起動式発電機であり得る。あるいは、中底は、バッテリーのようなエネルギー格納デバイスを備えられ得、この格納デバイスは、中底延長部または中底の他の部分に位置し得る。中底延長部内のバッテリーの位置は、取り外す際に、中底を靴から動かすことなく、バッテリーが容易にアクセスされ、そして置き換えられることを可能にする。１つの好ましい配置において、エネルギー源は、中底が挿入されている靴の着用者の足によって圧力起動される。このことを達成する好ましい方法は、１つ以上の圧力起動式スイッチを中底に提供することである。中底は、使用時に、使用者のかかとに近接する中底部分の一部に圧力起動式スイッチを備え得る。あるいは、中底は、使用時に、使用者の足の親指の付け根のふくらみ（ｂａｌｌ  ｏｆ  ｔｈｅ  ｆｏｏｔ）またはつま先に近接する中底部分の一部に圧力起動式スイッチを備え得る。
【００１６】
中底は、使用時に使用者のかかとに近接する中底部分の一部に第１の圧力起動式スイッチを、使用時に使用者の足の親指の付け根のふくらみまたはつま先に近接する中底部分に第２の圧力起動式スイッチを備え得、歩行時またはランニング時の使用者の行為が、第１の圧力起動式スイッチおよび第２の圧力起動式スイッチの連続的な起動を生じる。この特定の有効な配置において、中底は、中底に配置された複数の圧力駆動式スイッチを備え、それによって、圧力が、使用時に使用者により実施される行為に従って、それぞれのスイッチを圧迫するようになる。こうして、使用者が歩行またはランニングする際に、あるパターンの起動が生成され得る。この場合、中底のかかとおよびつま先の部分にあるスイッチが連続的に起動され、使用者が歩を進めるにつれ、ディスプレイに別個のパターンを生じる。他の活動（例えば、ジャンプ）において、圧力は、中底内のスイッチに同時に適用され得、ディスプレイ上に異なるパターンを生じる。自転車に乗っている場合、圧力は、中底のつま先部分にのみ適用される。このような活動は、スイッチの起動の異なるパターンを生じ、ディスプレイ上にさらに異なるパターンを生成するために使用され得る。
【００１７】
中底は、電力を供給された表示を生成するための任意の適切な手段を備え得る。１つの好ましい実施形態は、ディスプレイ表面に表示を生成するための発光デバイスのアレイを備える。このアレイは、好ましくは、中底の延長部部分のディスプレイ表面に近接して位置する。このアレイは、任意の適切な発光デバイスのアレイを含み得る。発光ダイオード（ＬＥＤ）が特に好ましい。
【００１８】
中底は、好ましくは、ディスプレイ表面上に生成される表示を制御するためのコントローラを備える。このことは、中底が、複数の圧力起動式スイッチおよび／または広範な発光デバイスのアレイを備える場合に、特に有利である。このように、コントローラは、スローガン、フレーズ、動画などのような複雑な表示を生成するために使用され得る。このような配置において、コントローラが、遠隔的にプログラム可能であることが好ましい。中底は、好ましくは、コントローラを遠隔プログラミングデバイス（例えば、コンピュータ）に接続するためのコネクタを備える。
【００１９】
１つの好ましい実施形態において、中底延長部は、ハウジングおよび挿入物を備え、この挿入物は、靴が装着されたときに、靴の外部から見える表面を有する。最も好ましくは、挿入物は、ハウジングから容易に取り外し可能である。このように、使用者は、ハウジング内の挿入物を交換または置き換えることによって、靴の全体的な外観およびデザイン、特に上側部分を容易に修飾し得る。中底が、光および／または音のためのエミッターを備える実施形態において、エミッターおよび任意のエネルギー格納デバイスは、共に、挿入物内に位置することが好ましい。存在する場合、コントローラは、中底内または挿入物内に位置し得る。コントローラが挿入物内にある場合、これは、所望の表示を達成するように予めプログラミングされ得る。このような場合、複数の、または１セットの異なる挿入物は、単一の中底と共に使用することが想定され得、従って、使用者が、単にハウジング内の挿入物を交換することによって、種々の異なる表示効果を得ることが可能となる。
【００２０】
挿入物および中底が、中底の中底部分にある圧力起動式スイッチに応答して作動される場合、中底内のスイッチと、挿入物内のディスプレイ構成要素との間に電気的接続を提供するために、挿入物コネクタが必要とされる。
【００２１】
さらなる局面において、本発明は、挿入物を受容するために、本明細書中に前述されたようなハウジングを備える中底延長部を有する中底を提供する。このような中底は、ハウジング内の位置に１つまたは複数の異なる挿入物を備えられ得る
本発明はまた、このような中底と共に使用するための挿入物を提供する。
【００２２】
本発明はまた、プログラム可能なコントローラを備える型の中底、または中底のための挿入物を備えるキットを提供し、このキットは、さらに、ディスクまたはＲＯＭデバイスのような格納デバイスを備え、この上に、コントローラをプログラミングするためのコンピュータプログラムが格納される。キットは、有利なことには、コンピュータのような遠隔プログラミングデバイスにコントローラを接続するためのケーブルを備える。
【００２３】
中底の実施形態および特徴、ならびに、上述の表示を生成する手段がまた、靴の構造に組込まれ得ることが理解される。本発明の中底の利点は、多くの異なるデザインおよび構成において容易に使用されることであるのに対して、上述の表示手段を靴の構造に組込むことは、必然的に、その１つの靴にこのディスプレイを限定する。
【００２４】
さらなる局面において、本発明は、靴の外側表面に配置された受信機、および受信機内に配置された挿入物を備える靴を提供し、この挿入物は、受信機内に配置されたときにディスプレイ表面を有し、このディスプレイ表面は、靴が装着されたときに、情報の表示が見えるように適合される。
【００２５】
受信機は、靴が装着されたときに見える、靴の外部の任意の適切な部分（例えば、靴の底の見える部分）に配置され得る。好ましい実施形態において、受信機は、靴の上側部分に配置される。装着者の足が挿入される開口部が規定されたトレーニングシューズのような靴の場合、この開口部に近接して受信機を配置することが特に好ましい。受信機のための特に好ましい位置の１つは、靴の上側部分のかかと部分である。
【００２６】
特に好ましい実施形態において、挿入物は、受信機から取り外し可能である。このように、靴の購入者は、受信機内に位置する挿入物を変えることによって、靴の全体的な外観およびデザインを変更し得る。靴は、複数の異なる挿入物を備えられ得る。あるいは、異なるデザインの挿入物が、付属品として、靴から別個に備えられ得る。
【００２７】
ディスプレイ表面は、好ましくは、本明細書中でこれより前に定義したような、ブランドを表示するように適合される。しかし、他の表示が、靴の使用者によって選択された特定のパターンまたはデザインの表示において、同じようによく意図され得る。
【００２８】
代替的な実施形態において、挿入物は、光または音を発するためのエミッターを備える。この靴は、好ましくは、エミッターに電力を供給するためのエネルギー源を備える。このエネルギー源は、任意の適切な手段（例えば、本明細書中でこれより前に議論された、圧力起動式ピエゾ電気デバイス）であり得る。あるいは、靴は、バッテリーのようなエネルギーを格納するための手段を備えられ得る。このような場合、エネルギー格納手段は、好ましくは、挿入物内に位置する。
【００２９】
上述のように、受信機が、靴の外部に設置され、その結果、靴が装着されたとき、目に見える表面が見られ得る。本発明の１つの実施形態において、受信機は、靴の取り外し可能な構成要素に設置される。このような取り外し可能な構成要素としては、靴紐が挙げられる。第３の配置において、受信機は、靴内を延びる中底に取付けられる。
【００３０】
さらなる局面において、本発明は、本明細書中でこれより前に定義されたような受信機を有する靴を提供し、この受信機は、本明細書中でこれより前に定義および記載されたような挿入物を受容するように適合される。さらに、本発明は、本明細書中でこれより前に定義されたような挿入物を提供する。
【００３１】
ディスプレイの局面（本発明の中底に関連して上で議論された圧力起動式スイッチ、ディスプレイアレイ、およびコントローラの使用を含む）はまた、本発明の靴に対しても同様に適用される。
【００３２】
本発明はまた、プログラム可能なコントローラを備える型の靴、またはこの靴のための挿入物を備えるキットを提供し、このキットは、さらに、ディスクまたはＲＯＭデバイスのような格納デバイスを備え、このデバイスの上に、コントローラをプログラミングするためのコンピュータプログラムが格納される。このキットは、有利なことには、コンピュータのような遠隔プログラミングデバイスにコントローラを接続するためのケーブルを備える。
【００３３】
上で議論された本発明の局面は、靴のパターンおよびデザインを変更する能力を有する製造および販売のための靴に関する。しかし、さらに、本発明はまた、本発明の一般的な概念に従って既存の靴が修飾またはカスタマイズされ得る手段を提供し、その結果、既存の靴の外観およびデザインが、容易に変更され得る。従って、本発明のさらなる局面は、靴のための付属品を提供し、この付属品は、靴に固定するためのマウントを備え、このマウントは、靴が着用されたときに、情報を表示するために適合されるディスプレイ表面を備える。
【００３４】
このマウントは、好ましくは、靴の上側部分に固定するために適合される。このことを促進するために、マウントは、好ましくは、クラスプを備えられる。クラスプは、靴の布または構造が損傷または破壊されることなく、マウントが靴にしっかりと締付けられ得るような配置である。このクラスプは、この要件を満たすために適切なフック、クリップなどの任意の適切なデザインであり得る。クラスプは、例えば、靴紐、バックル、ストラップ、または靴の舌革に取り付けることによって、靴の外部の任意の所望される位置にマウントを固定するように適合され得る。好ましくは、クラスプは、着用者の足を受容することが意図される、トレーニングシューズのような靴の開口部に近接してマウントが固定されることを可能にするように配置される。１つの好ましい実施形態において、クラスプは、靴の開口部に近接するかかと部分にマウントを固定するように配置される。
【００３５】
眼に見える表面は、好ましくは、本明細書中で、これより前に規定および記載されたようなブランドを表示するように適合される。代替例として、または加えて、マウントは、音および光を発するためのエミッターを備え得る。エミッターに電力を供給するための手段は、本明細書中で、これより前に記載されたようなものである。１つの好ましい配置において、付属品には、エミッターに電力を供給するためのエネルギー源が備えられ、従って、付属品を、内蔵型にする。
【００３６】
１つの好ましい実施形態において、付属品は、靴内を延びる部分を備える。上記部分は、好ましくは、靴の着用者の足と、靴の内側表面との間で捕捉されるように配置され、それによって、付属品を適所に保持することに役立つ。特に好ましい実施形態は、中底として、靴内を延びる部分を有するものである。しかし、靴内を延びる部分は、例えば、使用者のかかとに近接する靴のかかと位置においてのみ保持される、部分的な中底であり得る。
【００３７】
付属品の好ましい実施形態は、マウントがハウジングを備え、眼に見える表面が、ハウジング内に保持された挿入物の上に配置された実施形態である。使用者が、付属品および靴の全体的なデザインおよび外観を変更することを可能にするために、挿入物は、好ましくは、ハウジングから取り外し可能である。このような場合、付属品中に存在する任意のエミッターは、最も好ましくは、そのエネルギー源と共に、挿入物内に配置される。このような場合、付属品は、単一の挿入物、あるいは、複数の異なる挿入物を備えられ得、それによって、靴の外観を修飾および変更するより高い自由度を使用者に提供する。
【００３８】
再度、ディスプレイの局面（本発明の中底に関連して上で議論された、圧力起動式スイッチ、発光アレイ、およびコントローラの使用を含む）は、付属品に対しても同様に適用される。
【００３９】
本発明はまた、本明細書中でこれより前に記載されたような付属品のための挿入物を提供する。
【００４０】
本発明はまた、プログラム可能なコントローラを備える型の付属品、または中底のための挿入物を備えるキットを提供し、このキットは、さらに、ディスクまたはＲＯＭデバイスのような格納デバイスを備え、この上に、コントローラをプログラミングするためのコンピュータプログラムが格納される。このキットは、有利なことには、コンピュータのような遠隔プログラミングデバイスにコントローラを接続するためのケーブルを備える。
【００４１】
本発明の実施形態は、ここで、例示の目的のみで、添付の図面を参照して、説明される。
【発明を実施するための最良の形態】
【００４２】
図１を参照すると、トレーニングシューズ（一般に２と示される）が示される。参照を容易にするために、本発明の種々の局面および実施形態が、図１に示されるようなトレーニングシューズを参照して記載および例示される。しかし、上記のように、本発明の局面および実施形態は、トレーニングシューズに制限されず、他の履物の製品にも容易に適合可能であることが理解されるべきである。
【００４３】
図１の靴２は、底４および上側部分６を有し、これらは、両方ともに、従来のデザインおよび構造のものである。靴２は、着用者の足が挿入される、上側部分６のエッジ１０により規定される開口部８を有する。ここでも、これらの特徴は、従来の、既知のデザインおよび構造のものである。
【００４４】
靴２は、さらに、靴のかかとにある上側部分６の外部に位置するハウジング１２が備えられる。ハウジング１２は、公知の手段（例えば、接着剤またはリベット）により靴の上側部分６に取付けられた裏当て板１４を有する。ハウジング１２はさらに、裏当て板１４の側方エッジおよび下側エッジの両方に沿って延びる保持リップ１６を備える。挿入物１８は、図１の矢印２０により示される方向で、ハウジング１２内に挿入されるように適合される。挿入物１８およびハウジングの保持リップ１６は、この挿入物１８が、ハウジング内で締まりばめとなるような寸法であり、その結果、挿入物は、ハウジング内でしっかりと保持されるが、必要とされる場合、使用者により自由に取り外される。
【００４５】
図２および３は、挿入物１８がハウジング１２内に位置する、図１のかかと部分の代替的な図を示す。
【００４６】
挿入物１８を参照すると、ディスプレイ表面２２が挿入物に備えられ、その結果、ディスプレイ表面は、図２および３に示されるように、挿入物がハウジング１２内に保持されるときに目に見える。ディスプレイ表面２２は、本明細書中でこれより前に定義したようなブランドを受容するように適合される。さらに、挿入物１８は、開口部２４が備えられ、この後に、従来のデザインのエミッター（図示せず）が収容される。挿入物における使用に適切なエミッターは、光エミッターおよび音エミッターであり、光および／または音が、開口部２４を通って発せられる。エミッターのための電力は、挿入物１８内に収容されたバッテリー（図示せず）により供給される。あるいは、靴２は、エミッターに電力を供給するための、公知のデザインの圧力起動式のエネルギー発電機（例えば、ピエゾ電気デバイス）を備え得る。
【００４７】
挿入物１８は、使用者により所望されるように、任意の組み合わせの色、ブランド、音または光の表示を備えられ得る。図１〜３に示される実施形態の大きな利点は、使用者が、単にある挿入物を別のものと置き換えることによって、靴２の全体的な外観およびデザインを非常に迅速に変更し得ることであることが理解される。
【００４８】
ここで、図４〜７を参照すると、本発明のさらなる局面に従う靴のための付属品が示される。図４は、図１の靴と同じデザインおよび構造の一対の靴２を示す。従って、図２の靴のものと共通する図４の靴の構成要素は、同じ参照番号を使用して示される。
【００４９】
本発明に従う付属品４０は、図４の靴の各々の上側部分６のかかと部分に位置するように示される。図５は、付属品４０が適所にある図４の靴２の一方のかかと部分のさらなる図を示す。付属品４０は、図６および７により詳細に示される。
【００５０】
これらの図面を参照すると、付属品４０は、靴２の開口部８のエッジ１０と係合するために、クラスプ４４を有するマウント４２を備える。図７により明確に示すように、クラスプ４４は、単純なスプラングフックの形状であり、靴２の開口部８内に延びるためのフック部材４６を有する。クラスプ４４は、付属品４０を靴上の適所に保持するために、エッジ１０において上側部分６の布を把持する。靴が着用されるとき、着用者の足は、靴内を延びるフック部材４６に対してもたれ、さらに、付属品４０を適所に維持するのに役立つ。
【００５１】
付属品はさらに、クラスプ４２に接続されたハウジング４８を備える。ハウジング４８は、凹部５２を規定する円形の保持リップ５０を有するほぼ円形の構造である。ほぼ円形の挿入物５４は、凹部５２内で締まりばめとなるような寸法であり、その結果、挿入物が、ハウジング内に保持されるが、所望される場合は、使用者により容易に取り外し可能である。挿入物５４は、上記の挿入物１８と類似の構造である。従って、挿入物５４は、目に見える外部表面５６を有する。挿入物５４の表面５６内の開口部５８は、上で議論したように、光および／または音を発するために備えられる。図７で見られるバッテリー６０は、エミッターに電力を供給するために備えられる。
【００５２】
付属品４０は、単一対の靴の、特に上側部分に、広範な種々のデザインの変更がなされることを可能にする、ある範囲の色およびデザインで提供され得る。挿入物５４は、広範な色、ブランド、ならびに光および／または音のエミッターを備えられ得、広範な異なる視覚的および聴覚的な効果が、単に付属品内の挿入物を変更することによって達成されることを可能にする。
【００５３】
靴および付属品のディスプレイは、本明細書中、これ以後に記載されるように、プログラムされ得るか、または遠隔的にプログラム可能な、コントローラによって制御され得る。
【００５４】
図８を参照すると、本発明のさらなる局面に従う、一対の中底（一般に８０と示される）が示される。中底８０は、従来の様式で靴内を延びる中底部分８２を備える。中底８０には、中底延長部８４が備えられる。図８に示すように、中底延長部は、中底８０の中底部分８２のかかと部分から延びる。図９および１０を参照すると、中底８０は、図４に示されるものと同じ従来のデザインのトレーニングシューズにおいて、適所に示される。従って、同じ参照番号を使用して、従来のデザインの靴の部分を示す。示すように、中底延長部８４は、中底８０が適切な位置であるときに、靴の開口部８から外に延びるように十分に長い。中底延長部８４は、靴の開口部８のエッジ１０と係合するために、フックされた部分８６を備える。中底延長部はさらに、ハウジング８８および挿入物９０を備え、これらの両方が、上記のハウジング４８および挿入物５４と同じ一般的なデザインである。
【００５５】
図１１を参照すると、トレーニングシューズのような靴（ｓｈｏｗ）のための中底（一般に１０２と示される）が示される。中底は、靴内への挿入のために、中底部分１０４を備える。中底部分は、かかと部分１０６およびつま先部分１０８を備える。中底１０２はさらに、中底延長部（一般に１１０と示される）を備える。中底延長部１１０は、靴内を上向きに、そして靴の開口部から外向きに延びる。図１１に示される中底延長部１１０は、靴の上側部分のかかとにおいて、靴から外に延びるように配置される。例えば、中底延長部が、開口部の側部から外向きに、または靴の舌革に近接して外向きに延びる、他の配置がまた考えられ得る。
【００５６】
図１１に示される中底延長部１１０は、中底が、異なる上側部分のデザインを有する種々の異なる靴に挿入され得、そしてフィットし得るようなものである。これは、靴の開口部の領域内の靴の上側部分の大きさおよび形状が、同じ足の大きさの靴についてでも、デザインごとで大きく変化する場合である。例えば、低いかかとを有する靴もあるが、例えば、着用者の足首およびアキレス腱領域に支持および保護を提供するために、高いかかと部分を有する靴もある。このことは、例えば、単に、中底の延長部部分に取り外し可能に取り付けられたディスプレイ構成要素を有することによって達成され得、その結果、このディスプレイ構成要素は、使用される靴のデザインに依存して、異なる位置において延長部部分に取り付けられ得る。図１１の中底は、以下のように、このような種々の靴のデザインにフィットするように適合される。
【００５７】
中底延長部１１０は、靴の上側部分に近接して位置するために、第１の延長部部分１１２を備える。第２の延長部部分１１４は、第１の延長部部分１１２から延び、そして、第１の延長部部分１１２に対して上向きに折り曲げられ得る。これは、図１２により明確に示される。ディスプレイ構成要素１１６は、第２の延長部部分１１４が、第１の延長部部分１１２に対して上向きに折り曲げられるときに見えるように、第２の延長部部分１１４に設置される。留め具１１８、特にフックアンドループ留め具は、図１２に示されるように、上向きに折り曲げられた第２の延長部部分１１４を、第１の延長部部分１１２に固定する。
【００５８】
図１２ａおよび１２ｂは、上側部分の種々のデザインおよび大きさの靴に順応する際の、この実施形態の中底の汎用性を示す。見られるように、図１２ｂに示される中底は、高いかかとの上側部分の部分で靴に挿入するために配置されているが、図１２ａの中底は、より低いかかとの上側部分の部分を有する靴と共に使用するためのものである。中底は、なおより高いかかとの上側部分の部分（スキーブーツ、ローラースケート、アイススケートなどにおいて見られるようなもの）に順応するために、示されるものよりもさらに長い第１および第２の延長部部分を備えられ得ることが理解される。
【００５９】
第１の延長部部分１１２は、靴の開口部のリップを覆って保持され得、所定の位置に留まり得るように、硬くするための手段を備えられることが好ましい。この硬化手段は、第１の延長部部分１１２が作製された材料の固有の特性であっても、金属ワイヤまたはストリップのような追加の硬化手段により備えられてもよい。代替として、靴の上側部分に固定するための取り外し可能な接着剤または他の取り付け手段を有する第１の延長部部分が提供される。
【００６０】
図１１および１２に示されるディスプレイ構成要素１１６は、中底の第２の延長部部分１１４に永久に取付けられる。代替としては、本明細書中でこれより前に記載され、図１〜７に示されたような、中底延長部に取付けられたハウジングおよびハウジング内の挿入物としての、ディスプレイ構成要素が備えられる。
【００６１】
図１３を参照すると、図１１および１２のものと同じ一般的なデザインの中底が示される。従って、同じ構成要素は、同じ参照番号を使用して示され、図１３の中底の構造の詳細に関しては、前述の（ｆｏｒｇｏｉｎｇ）説明に対して参照がなされる。
【００６２】
図１３の中底１０２は、以下のように、ディスプレイ構成要素内でコントローラに接続された、圧力起動式スイッチのアレイを含む。圧力起動式スイッチ１２０のアレイは、中底１０２のつま先部分１０８に配置され、歩行時、ランニング時、または何らかの他の活動を実施する際に、使用者のつま先および足の親指の付け根のふくらみによって起動される。同様に、圧力起動式スイッチ１２２のアレイは、中底１０２のかかと部分１０６に配置される。このアレイ内のスイッチ１２２は、移動時に、使用者のかかとによって適用される圧力によって起動される。
【００６３】
複数のワイヤ１２４が、アレイ内のスイッチ１２０および１２２の各々を、ディスプレイ要素１１６に接続する。ディスプレイ要素１１６は、コントローラ、電源、および発光デバイスのアレイ（特に、ＬＥＤのアレイ）を備える。この配置は、図１４に模式的に表される。ディスプレイ要素１１６（図１４の破線により表される）は、ディスプレイ１３０（ＬＥＤのアレイ）を収容する。図１４に示されるアレイ１３０は、２４のＬＥＤを含む。より大きいか、またはより小さいアレイが使用され得る。しかし、より多くのＬＥＤを含むより大きなアレイは、グラフィックスなどのようなより複雑な表示を可能にすることが理解されるべきである。ディスプレイ１３０は、コントローラ１３２により制御され、バッテリー１３４から電源を供給され、そして、ワイヤ１２４を介して、圧力起動式スイッチ１２０、１２２からの信号を受信する。コントローラ１３２は、プログラム可能である。コントローラ１３２は、使用者に対して固定されたセットの表示を提供するように予めプログラムされ得る。このことは、例えば、消費者に販売された靴にブランド機能を提供するために好ましくあり得る。あるいは、この配置は、コントローラの表示機能をプログラミングするために、コントローラを、外部プログラミングデバイス（例えば、コンピュータ）に接続するための、接続１３６を備え得る。図１４に示されるように、ディスプレイ要素はまた、表示の一部として音を発するために、音発生デバイス１３８を備え得る。
【００６４】
ディスプレイ要素１１６が、本明細書中でこれより前に記載されたように、取り外し可能な挿入物内に収容される配置において、中底は、挿入物に対して電気接続を備え、コントローラ１３２が、圧力起動式スイッチからの信号を受信することを可能にする。
【００６５】
本発明は、以下の要素：プログラム可能なディスプレイ要素を有する、靴、付属品もしくは中底、または靴、付属品もしくは中底のための挿入物；および、ディスプレイコントローラをプログラミングするためのコンピュータプログラムが格納される、ディスクまたは他のＲＯＭデバイスのような格納デバイス、を備える部品のキットとして提供され得る。このキットはまた、好ましくは、コントローラを遠隔プログラミングデバイスに接続するための手段（例えば、ケーブル）を供給される。
【００６６】
本発明は、一般に、かつその特定の局面および実施形態として、広範な履物の製品の外観およびデザイン（特に、靴の上側部分）が、個人の嗜好および広く行き渡っている流行に従って使用者の希望で容易かつ簡単に修飾され得る手段を提供することが理解される。この観点から、本発明は、確立された従来の形状の履物を超えた有意な利点を表す。従来の形状の履物は、その構造のまさに本質上、使用者に単一の外見デザインおよび外観を限定する。本発明はまた、その全ての種々の局面において、非常に多目的な手段を提供し、この手段によって、所定の対の靴の外向きの外観を、着用される履物の製品に対して変化がなされることをほとんどまたは全く必要とせずに、嗜好に従って、広範な種々のデザインを使用して、製造業者によってか、またはより好ましくは、エンドユーザーによって、修飾およびカスタマイズし得る。
【図面の簡単な説明】
【００６７】
【図１】図１は、本発明の１つの局面に従う靴の斜視図である。
【図２】図２は、図１の靴のかかとのバージョンの斜視図である。
【図３】図３は、図２の靴のかかとの背面立面図である。
【図４】図４は、各々が、本発明に従う付属品を有する、一足の靴の斜視図である。
【図５】図５は、図４の靴のうちの一方のかかと部分の斜視図である。
【図６】図６は、本発明に従う付属品の斜視図である。
【図７】図７は、線ＶＩＩ−ＶＩＩに沿って取った、図６の付属品の断面図である。
【図８】図８は、本発明の中底の１つの実施形態に従う、一足の中底の斜視図である。
【図９】図９は、図８の中底が中に取付けられた靴の斜視図である。
【図１０】図１０は、図９の靴のかかとの背面立面図である。
【図１１】図１１は、本発明に従う中底の第２の実施形態の斜視図である。
【図１２ａ】図１２ａは、第１の位置にある図１１の中底のかかと部分の断面図である。
【図１２ｂ】図１２ｂは、第２の位置にある図１１の中底のかかと部分の断面図である。
【図１３】図１３は、本発明のさらなる局面に従う中底の平面図である。
【図１４】図１４は、本発明のさらなる実施形態の中底の制御回路の図である。
【図１】
2007503900.tif 000003
【図２】
2007503900.tif 000004
【図３】
2007503900.tif 000005
【図４】
2007503900.tif 000006
【図５】
2007503900.tif 000007
【図６】
2007503900.tif 000008
【図７】
2007503900.tif 000009
【図８】
2007503900.tif 000010
【図９】
2007503900.tif 000011
【図１０】
2007503900.tif 000012
【図１１】
2007503900.tif 000013
【図１２ａ】
2007503900.tif 000014
【図１２ｂ】
2007503900.tif 000015
【図１３】
2007503900.tif 000016
【図１４】
2007503900.tif 000017
【手続補正書】
【提出日】平成18年3月3日(2006.3.3)
【手続補正１】
【補正対象書類名】特許請求の範囲
【補正対象項目名】全文
【補正方法】変更
【補正の内容】
【特許請求の範囲】
【請求項１】
靴のための中底であって、該中底は、該靴内を延びるための中底部分、および中底延長部を備え、該中底延長部は、表示を示すためのディスプレイ手段を備え、該中底延長部は、該靴が着用されたときに該ディスプレイ手段の該表示が該靴の外部から見えるように、該中底が該靴内に位置するときに該靴の内部から延びるように適合されている、中底。
【請求項２】
前記中底延長部が、前記靴の上側部分の外部に近接して位置する第１の部分を備え、前記ディスプレイ手段が、該第１の部分に関して複数の位置で位置決め可能である、請求項１に記載の中底。
【請求項３】
前記中底延長部が、第２の部分を備え、前記第１の部分が、前記中底部分と該第２の部分との間に配置され、前記ディスプレイ手段が、該第２の部分の上に配置される、請求項２に記載の中底。
【請求項４】
前記第１の部分および第２の部分が、対応する第１の側部および第２の側部を有し、前記ディスプレイ手段が、該第２の部分の該第２の側部の上に配置され、前記中底が、該第２の部分の該第２の側部を、該第１の部分の該第１の側部に、取り外し可能に締付けるための手段を包含する、請求項３に記載の中底。
【請求項５】
前記取り外し可能な締付け手段が、フックアンドループ留め具である、請求項４に記載の中底。
【請求項６】
前記中底延長部が、前記中底部分のかかと部分から延びる、請求項１に記載の中底。
【請求項７】
前記ディスプレイ手段が、前記中底が前記靴の中で適所にあるときに、該靴の前記かかとに配置される、請求項６に記載の中底。
【請求項８】
前記中底延長部が、光もしくは音を発するためのエミッター、またはこれらの組合せを備える、請求項１に記載の中底。
【請求項９】
前記中底が、前記エミッターのためのエネルギー源を備える、請求項８に記載の中底。
【請求項１０】
前記エネルギー源が、前記中底延長部内に位置するバッテリーである、請求項９に記載の中底。
【請求項１１】
前記エネルギー源が、前記靴が着用されたときに、該靴の着用者の足により、圧力で起動される、請求項９に記載の中底。
【請求項１２】
前記中底が、前記ディスプレイ手段を制御するための圧力起動式スイッチを備える、請求項１に記載の中底。
【請求項１３】
前記中底が、使用の際に足の親指の付け根のふくらみ、かかとまたはつま先から選択される使用者の足の部分に近接する前記中底部分の一部に、圧力起動式スイッチを備える、請求項１２に記載の中底。
【請求項１４】
前記中底が、該中底内に配置された、複数の圧力起動式スイッチを備え、それによって、圧力が、該中底の使用の際に使用者により実施される行為に従ってそれぞれのスイッチを圧迫するようになる、請求項１２に記載の中底。
【請求項１５】
前記中底が、該中底の使用の際に、使用者のかかとに近接する前記中底部分の一部に第１の圧力起動式スイッチ、および、該中底の使用の際に、足の親指の付け根のふくらみ、またはつま先から選択される使用者の位置に近接する該中底部分に第２の圧力起動式スイッチを備え、歩行時またはランニング時の使用者の前記行為が、該第１の圧力起動式スイッチおよび第２の圧力起動式スイッチの連続的な起動を生じる、請求項１４に記載の中底。
【請求項１６】
前記ディスプレイ手段により生成される前記表示を制御するためのコントローラをさらに備える、請求項１に記載の中底。
【請求項１７】
前記コントローラが、遠隔的にプログラム可能である、請求項１６に記載の中底。
【請求項１８】
遠隔プログラミングデバイスに前記コントローラを接続するために、コネクタをさらに備える、請求項１７に記載の中底。
【請求項１９】
前記ディスプレイ手段が、前記中底から取り外し可能である、請求項１に記載の中底。
【国際調査報告】
2007503900.tif 000018
2007503900.tif 000019
2007503900.tif 000020
2007503900.tif 000021
2007503900.tif 000022